(57)【特許請求の範囲】
【請求項１】
配送物に貼着可能に構成され、前記配送物の受取人が転居した場合に該配送物をその転居先に配送可能とするとともに、当該受取人の転居先情報を通知するための転居先通知シートであって、
一方の面に、前記配送物の受取人の転居先情報を記入するための転居先記入部を具備し、他方の面に、返信先情報が表示されてなる返信宛先表示部を具備するはがき片と、
一方の面に、郵便料金を表示する料金表示部を具備し、他方の面に、前記転居先通知シートを前記配送物に貼着する第１の貼着構造を具備する補助片とを有し、
前記はがき片と前記補助片とが、前記転居先記入部を具備する面と前記料金表示部を具備する面とが前記転居先通知シートにおける同一面となるように連接している転居先通知シート。
【請求項２】
請求項１に記載の転居先通知シートにおいて、
前記はがき片と前記補助片とが、分離可能に連接している転居先通知シート。
【請求項３】
請求項１に記載の転居先通知シートにおいて、
前記はがき片と前記補助片とが、前記一方の面を内側として折り畳み可能に連接し、
前記補助片は、前記転居先通知シートが折り畳まれた場合に前記転居先記入部を覆うのに十分な大きさを具備し、
前記第１の貼着構造は、前記転居先通知シートを前記配送物に剥離可能に貼着し、
前記はがき片と前記補助片の少なくとも一方は、前記転居先通知シートが折り畳まれた場合に前記はがき片と前記補助片とを剥離可能に貼着する第２の貼着構造を具備する転居先通知シート。
【発明の詳細な説明】
【技術分野】
【０００１】
本発明は、配送物に貼着され、配送物の受取人が転居した場合に配送物をその転居先に配送可能とする転居先通知シートに関する。
【背景技術】
【０００２】
従来より、チラシやカタログ、冊子等の印刷物を配送する１つの手段として、これらの印刷物を郵便物として配送することが行われている。チラシやカタログ、冊子等の印刷物を郵便物として配送する場合、その配送料金は、印刷物の大きさ及び重さによって規定されており、そのために、例えば、Ａ４サイズのチラシや広告等の印刷物が３つ折りで封筒に封入されて郵便物として配送されている。
【０００３】
また、近年においては、上述したようなチラシやカタログ、冊子等の印刷物を郵便以外の運輸サービスを利用してメール便として配送することが行われている。チラシやカタログ、冊子等の印刷物をメール便として配送する場合、郵便以外の運輸サービスを利用しているため、定型外の大きさや重さのものも送ることができ、また、配送地域によっては、印刷物が差し出されてからその印刷物が配送先に届くまでの期間が、印刷物を郵便物として配送する場合に比べて短縮される場合もある。また、配送物の大きさや配送地域によっては、印刷物を郵便物として配送する場合に比べて配送料金が安価となる場合もある。さらには、１つの発送元から大量の印刷物を発送する場合、運輸サービスの提供企業がその印刷物を受け取りに来てくれるため、印刷物の発送元においては、そのための手間を省くことができる。
【０００４】
このように、郵便以外の運輸サービスを利用して印刷物を配送することは、印刷物を郵便物として配送する場合と比べて利便性が高い場合があるため、利用される割合が増加しつつある。そのため、郵便以外の運輸サービスを利用して印刷物を配送する仕組みについては、様々なものが提案、実用化されている（例えば、特許文献１参照。）。
【先行技術文献】
【特許文献】
【０００５】
【特許文献１】特開２００２−２８８２９１号公報
【発明の概要】
【発明が解決しようとする課題】
【０００６】
ところで、上述したような印刷物を郵便物として配送する場合において、印刷物の受取人が転居してしまった場合、その転居先が郵便局に予め届けられていれば、印刷物は受取人の転居先に配送されることになる。ところが、郵便以外の運輸サービスを利用して印刷物を配送する場合においては、郵便物のような受取人の転居先を届ける仕組みがあまり普及していないため、印刷物の受取人が転居してしまった場合、その受取人に配送された印刷物は受取人の転居先に配送されることなく破棄されてしまう場合が多い。
【０００７】
本発明は、上述したような従来の技術が有する問題点に鑑みてなされたものであって、配送物を郵便以外の運輸サービスを利用して配送する場合において配送物の受取人が転居した場合にその転居先に配送物を配送することを可能とする転居先通知シートを提供することを目的とする。
【課題を解決するための手段】
【０００８】
上記目的を達成するために本発明は、
配送物に貼着可能に構成され、前記配送物の受取人が転居した場合に該配送物をその転居先に配送可能とするとともに、当該受取人の転居先情報を通知するための転居先通知シートであって、
一方の面に、前記配送物の受取人の転居先情報を記入するための転居先記入部を具備し、他方の面に、返信先情報が表示されてなる返信宛先表示部を具備するはがき片と、
一方の面に、郵便料金を表示する料金表示部を具備し、他方の面に、前記転居先通知シートを前記配送物に貼着する第１の貼着構造を具備する補助片とを有し、
前記はがき片と前記補助片とが、前記転居先記入部を具備する面と前記料金表示部を具備する面とが前記転居先通知シートにおける同一面となるように連接している。
【０００９】
上記のように構成された本発明においては、郵便以外の運輸サービスを利用して配送物が配送された際にその配送物の受取人が転居してしまった場合、配送される配送物に対して補助片の第１の貼着構造を用いて貼着され、その配送物が再発送されると、補助片の第１の貼着構造が設けられた面とは反対側の面には郵便料金を表示する料金表示部が設けられているので、この配送物が郵便物として配送先に配送される。そのため、配送物の受取人が転居してしまった場合であっても、その転居先が郵便局に届けられていれば、配送物が受取人の転居先に配送されることになる。またこの際、はがき片には、はがき片の返信先情報が表示された返信宛先表示部が設けられているが、この返信宛先表示部は、はがき片のうち、補助片の料金表示部を具備する面と転居先通知シートにおける同一面となる転居先記入部が設けられた面とは反対側の面に設けられているので、第１の貼着構造によって配送物に貼着された状態においては、返信宛先表示部が配送物に対向したものとなっており、それにより、返信宛先表示部に表示された返信先情報に従って配送物が配送されてしまうことがない。配送物が配送先に配送された後、転居先通知シートの少なくともはがき片が配送物から分離され、はがき片の一方の面に設けられた転居先記入部に受取人の転居先情報が記入されて返信されると、はがき片の他方の面には、返信先情報が表示されてなる返信宛先表示部が設けられているので、この返信宛先表示部に表示された返信先情報に従って返信される。これにより、この配送物を配送管理する運輸サービス業者においては、返信されてきたはがき片の転居先記入部に記入された転居先情報によって、配送物の受取人の転居先を認識することができ、その後、その受取人に配送物を配送する場合に、受取人の転居先を配送先として配送物を配送することができる。
【００１０】
また、はがき片と補助片とが分離可能に連接している場合は、はがき片と補助片とを分離することにより、第１の貼着構造を用いて貼着された配送物からはがき片を分離することになる。
【００１１】
また、はがき片と補助片とが、はがき片の転居先記入部を具備する面と補助片の料金表示部を具備する面を内側として折り畳み可能に連接し、補助片が、転居先通知シートが折り畳まれた場合に転居先記入部を覆うのに十分な大きさを具備し、第１の貼着構造が転居先通知シートを配送物に剥離可能に貼着し、はがき片と補助片の少なくとも一方が、転居先通知シートが折り畳まれた場合にはがき片と補助片とを剥離可能に貼着する第２の貼着構造を具備する場合は、配送物が配送先に配送された後、転居先通知シートが配送物から剥離されて転居先記入部に受取人の転居先情報が記入され、その後、はがき片と補助片とが、はがき片の転居先記入部を具備する面と補助片の料金表示部を具備する面を内側として折り畳まれ、はがき片と補助片とが第２の貼着構造によって剥離可能に貼着されることにより、転居先記入部に記入された受取人の転居先情報が隠蔽された状態で返信されることになる。
【発明の効果】
【００１２】
以上説明したように本発明においては、郵便以外の運輸サービスを利用して配送される配送物に貼着される転居先通知シートであって、一方の面に、配送物の受取人の転居先情報を記入するための転居先記入部を具備し、他方の面に、返信先情報が表示されてなる返信宛先表示部を具備するはがき片と、一方の面に、郵便料金を表示する料金表示部を具備し、他方の面に、転居先通知シートを配送物に貼着する第１の貼着構造を具備する補助片とを有し、はがき片と補助片とが、転居先記入部を具備する面と料金表示部を具備する面とが転居先通知シートにおける同一面となるように連接している構成とし、配送物が郵便物として配送先に配送されるようにしたため、配送物の受取人が転居してしまった場合であっても、その転居先が郵便局に届けられていれば、配送物を受取人の転居先に配送することが可能となり、また、配送物を配送管理する運輸サービス業者において、返信宛先表示部に表示された返信先情報に従って返信されてきたはがき片によって、配送物の受取人の転居先を認識することができる。
【００１３】
また、はがき片と補助片とが分離可能に連接しているものにおいては、はがき片と補助片とを分離することにより、第１の貼着構造を用いて貼着された配送物からはがき片を分離することができる。
【００１４】
また、はがき片と補助片とが、はがき片の転居先記入部を具備する面と補助片の料金表示部を具備する面を内側として折り畳み可能に連接し、補助片が、転居先通知シートが折り畳まれた場合に転居先記入部を覆うのに十分な大きさを具備し、第１の貼着構造が転居先通知シートを配送物に剥離可能に貼着し、はがき片と補助片の少なくとも一方が、転居先通知シートが折り畳まれた場合にはがき片と補助片とを剥離可能に貼着する第２の貼着構造を具備するものにおいては、配送物が配送先に配送された後、配送物から剥離することができ、転居先記入部に受取人の転居先情報を記入した後に、はがき片と補助片とを第２の貼着構造によって貼着することにより、転居先記入部に記入された受取人の転居先情報を隠蔽した状態で返信することができる。
【図面の簡単な説明】
【００１５】
【図１】本発明の転居先通知シートの第１の実施の形態を示す図であり、（ａ）は表面図、（ｂ）は裏面図、（ｃ）は（ａ）に示したＡ−Ａ’断面図である。
【図２】図１に示した転居用通知シートが貼着されて配送される配送物の一例を示す図である。
【図３】図２に示したメール便の受取人が転居した場合における図１に示した転居先通知シートを用いた処理を説明するための図である。
【図４】本発明の転居先通知シートの第２の実施の形態を示す図であり、（ａ）は表面図、（ｂ）は裏面図、（ｃ）は（ａ）に示したＡ−Ａ’断面図である。
【図５】図２に示したメール便の受取人が転居した場合における図４に示した転居先通知シートを用いた処理を説明するための図である。
【図６】本発明の転居先通知シートの第３の実施の形態を示す図であり、（ａ）は表面図、（ｂ）は裏面図、（ｃ）は（ａ）に示したＡ−Ａ’断面図である。
【図７】図２に示したメール便の受取人が転居した場合における図６に示した転居先通知シートを用いた処理を説明するための図である。
【図８】本発明の転居先通知シートの第４の実施の形態を示す図である。
【図９】図８に示した転居先通知シートを図２に示したメール便に貼着した後の剥離の仕方を示す図である。
【図１０】本発明の転居先通知シートの第５の実施の形態を示す図である。
【図１１】図１０に示した転居先通知シートを図２に示したメール便に貼着した後の剥離の仕方を示す図である。
【図１２】本発明の転居先通知シートの第６の実施の形態を示す図であり、（ａ）は表面図、（ｂ）は（ａ）に示したＡ−Ａ’断面図、（ｃ）は裏面図である。
【図１３】は、本発明の転居先通知シートの第７の実施の形態を示す図であり、（ａ）は表面図、（ｂ）は裏面図、（ｃ）は（ａ）に示したＡ−Ａ’断面図である。
【図１４】図２に示したメール便の受取人が転居した場合における図１３に示した転居先通知シートを用いた処理を説明するための図である。
【発明を実施するための形態】
【００１６】
以下に、本発明の実施の形態について図面を参照して説明する。
【００１７】
（第１の実施の形態）
図１は、本発明の転居先通知シートの第１の実施の形態を示す図であり、（ａ）は表面図、（ｂ）は裏面図、（ｃ）は（ａ）に示したＡ−Ａ’断面図である。
【００１８】
本形態は図１に示すように、はがき片１０と補助片２０とがミシン目３０を介して分離可能に連接して構成されている。
【００１９】
はがき片１０は、１枚のシート基材２からなり、その表面に、この転居先通知シート１が貼着される配送物の受取人の転居先の住所や受取人の氏名等の転居先情報を記入するための転居先記入部となる転居先記入欄１１が設けられており、また、その裏面に、この転居先通知シート１が貼着される配送物を配送管理する運輸サービス業者の住所や名称等の返信先情報が表示された返信宛先表示部１２が設けられている。
【００２０】
補助片２０は、はがき片１０と連接したシート基材２の裏面側に第１の貼着構造となる粘着剤３が塗工されており、この粘着剤３を介して剥離紙４が剥離可能に貼着されている。また、その表面には、郵便料金を表示する料金表示部となる郵便料金マーク２１が表示されている。すなわち、はがき片１０と補助片２０とは、転居先記入欄１１が設けられた面と、郵便料金マーク２１が表示された面とが転居先通知シート１における同一面となるように連接していることになる。なお、郵便料金を表示する料金表示部としては、郵便料金マーク２１に限らず、切手が貼着されるものや、料金別納を示すマークであってもよく、料金表示部が表示されることにより、この転居先通知シート１が貼着された配送物が郵便物として配送されることになる。
【００２１】
以下に、上記のように構成された転居先通知シート１の使用方法について説明する。
【００２２】
まず、図１に示した転居用通知シート１が貼着されて配送される配送物について説明する。
【００２３】
図２は、図１に示した転居用通知シート１が貼着されて配送される配送物の一例を示す図である。
【００２４】
図１に示した転居用通知シート１が貼着されて配送される配送物としては、例えば、図２に示すようなメール便５０が挙げられる。このメール便５０は、その表面に、この配送物がメール便５０であることを示すメール便識別マーク５１が表示されているとともに、このメール便５０の配送先の住所や氏名等からなる宛先情報５２と、このメール便５０を管理するためのバーコード情報５３とが表示されている。
【００２５】
上記のように構成されたメール便５０は、宛先情報５２に従って配送先に届けられる。そして、配送途中の各拠点にてバーコード情報５３が読み取られることにより、このメール便５０の配送状況が管理される。
【００２６】
図３は、図２に示したメール便５０の受取人が転居した場合における図１に示した転居先通知シート１を用いた処理を説明するための図である。
【００２７】
図２に示したメール便５０の受取人が転居した場合、メール便５０は、このメール便５０を配送管理する運輸サービス業者に一旦回収される。
【００２８】
そして、補助片２０の剥離紙４が剥離され、図３（ａ）に示すように、メール便５０のメール便識別マーク５１が表示された領域に転居先通知シート１が粘着剤３によって貼着され、メール便５０が発送される。メール便５０を配送管理する運輸サービス業者から発送されたメール便５０には、メール便識別マーク５１が表示された領域に転居先通知シート１が貼着されているため、メール便識別マーク５１が視認不可能となっているとともに、転居先通知シート１の補助片２０に表示された郵便料金マーク２１が表出しており、それにより、転居先通知シート１が貼着されたメール便５０は、郵便物として配送先に配送される。またこの際、はがき片１０には、はがき片１０の返信先情報が表示された返信宛先表示部１２が設けられているが、この返信宛先表示部１２は、はがき片１０のうち、補助片２０の郵便料金マーク２１が表示された面と転居先通知シート１における同一面となる転居先記入欄１１が設けられた面とは反対側の面に設けられているので、粘着剤３によってメール便５０に貼着された状態においては、返信宛先表示部１２がメール便５０に対向したものとなっており、それにより、返信宛先表示部１２に表示された返信先情報に従ってメール便５０が配送されてしまうことがない。
【００２９】
そして、メール便５０の受取人がその転居先を郵便局に届けている場合、このメール便５０は受取人の転居先に配送されることになる。
【００３０】
メール便５０が受取人の転居先に配送された後、図３（ｂ）に示すようにメール便５０の受取人によってミシン目３０が破断されることにより、はがき片１０がメール便５０に貼着された補助片２０から分離される。
【００３１】
そして、図３（ｃ）に示すように、はがき片１０に設けられた転居先記入欄１１に、メール便５０の受取人の転居先の住所からなる転居先情報１１ａが記入されて返信されると、はがき片１０の裏面には、メール便５０を配送管理する運輸サービス業者の住所や名称等の返信先情報が表示された返信宛先表示部１２が設けられているので、この返信宛先表示部１２に表示された返信先情報に従ってはがき片１０がメール便５０を配送管理する運輸サービス業者に返信される。
【００３２】
メール便５０を配送管理する運輸サービス業者においては、転居先記入欄１１に記入された転居先情報１１ａをこのメール便５０の受取人の転居先として登録し、その後、この受取人に他の配送物を配送する場合に、受取人の転居先を配送先として配送物を配送することになる。
【００３３】
このように本形態においては、受取人が転居したことによって配送先が不明となったメール便５０を郵便物として配送先に配送されるようにしたため、メール便５０の受取人が転居してしまった場合であっても、その転居先が郵便局に届けられていれば、メール便５０を受取人の転居先に配送することが可能となり、また、配送物を配送管理する運輸サービス業者において、メール便５０の受取人の転居先を認識することができる。
【００３４】
（第２の実施の形態）
図４は、本発明の転居先通知シートの第２の実施の形態を示す図であり、（ａ）は表面図、（ｂ）は裏面図、（ｃ）は（ａ）に示したＡ−Ａ’断面図である。
【００３５】
本形態は図４に示すように、第１の実施の形態にて示したものに対して、はがき片１０の補助片２０ａとは反対側にも補助片２０ｂがミシン目３０ｂを介して分離可能に連接している点のみが異なるものである。この補助片２０ｂにおいても、補助片２０ａと同様に、シート基材２に粘着剤３を介して剥離紙４が剥離可能に貼着されている。
【００３６】
以下に、上記のように構成された転居先通知シート１の使用方法について説明する。
【００３７】
図５は、図２に示したメール便５０の受取人が転居した場合における図４に示した転居先通知シート１０１を用いた処理を説明するための図である。
【００３８】
図２に示したメール便５０の受取人が転居した場合、メール便５０は、このメール便５０を配送管理する運輸サービス業者に一旦回収される。
【００３９】
そして、補助片２０ａ，２０ｂの剥離紙４がそれぞれ剥離され、図５（ａ）に示すように、メール便５０のメール便識別マーク５１が表示された領域に転居先通知シート１０１が粘着剤３によって貼着され、メール便５０が発送される。メール便５０を配送管理する運輸サービス業者から発送されたメール便５０には、メール便識別マーク５１が表示された領域に転居先通知シート１０１が貼着されているため、メール便識別マーク５１が視認不可能となっているとともに、転居先通知シート１０１の補助片２０に表示された郵便料金マーク２１が表出しており、それにより、転居先通知シート１０１が貼着されたメール便５０は、郵便物として配送先に配送される。そのため、メール便５０の受取人がその転居先を郵便局に届けている場合、このメール便５０は受取人の転居先に配送されることになる。またこの際、転居先通知シート１０１は、その長手方向の両端が粘着剤３によってメール便５０に貼着されているため、メール便５０の配送途中において、転居先通知シート１０１をメール便５０から不用意に離脱しにくくすることができる。
【００４０】
メール便５０が受取人の転居先に配送された後、図５（ｂ）に示すようにメール便５０の受取人によってミシン目３０ａ，３０ｂが破断されることにより、はがき片１０がメール便５０に貼着された補助片２０ａ，２０ｂから分離される。
【００４１】
そして、図５（ｃ）に示すように、はがき片１０に設けられた転居先記入欄１１に、メール便５０の受取人の転居先の住所からなる転居先情報１１ａが記入されて返信されると、はがき片１０の裏面には、メール便５０を配送管理する運輸サービス業者の住所や名称等の返信先情報が表示された返信宛先表示部１２が設けられているので、この返信宛先表示部１２に表示された返信先情報に従ってはがき片１０がメール便５０を配送管理する運輸サービス業者に返信される。
【００４２】
メール便５０を配送管理する運輸サービス業者においては、転居先記入欄１１に記入された転居先情報１１ａをこのメール便５０の受取人の転居先として登録し、その後、この受取人に他の配送物を配送する場合に、受取人の転居先を配送先として配送物を配送することになる。
【００４３】
（第３の実施の形態）
図６は、本発明の転居先通知シートの第３の実施の形態を示す図であり、（ａ）は表面図、（ｂ）は裏面図、（ｃ）は（ａ）に示したＡ−Ａ’断面図である。
【００４４】
本形態は図６に示すように、シート基材２０２の一方の面の全面に、第１の貼着構造となる感圧性接着剤２０９が塗布されて構成されており、はがき片２１０と補助片２２０とがミシン目２３０を介して分離可能に連接した構成となっている。
【００４５】
はがき片２１０は、シート基材２０２の感圧性接着剤２０９が塗布された面とは反対側の面に、この転居先通知シート２０１が貼着される配送物の受取人の転居先情報を記入するための転居先記入欄２１１が設けられており、また、シート基材２０２の感圧性接着剤２０９が塗布された面に、この転居先通知シート２０１が貼着される配送物を配送管理する運輸サービス業者の住所や名称等の返信先情報が表示された返信宛先表示部２１２が設けられている。
【００４６】
補助片２２０は、シート基材２０２の感圧性接着剤２０９が塗布された面とは反対側の面に、郵便料金を表示する料金表示部となる郵便料金マーク２２１が表示されている。すなわち、はがき片２１０と補助片２２０とは、転居先記入欄２１１が設けられた面と、郵便料金マーク２２１が表示された面とが転居先通知シート２０１における同一面となるように連接していることになる。なお、料金表示部としては、郵便料金マーク２２１に限らず、切手が貼着されるものであってもよい。
【００４７】
以下に、上記のように構成された転居先通知シート２０１の使用方法について説明する。
【００４８】
図７は、図２に示したメール便５０の受取人が転居した場合における図６に示した転居先通知シート２０１を用いた処理を説明するための図である。
【００４９】
図２に示したメール便５０の受取人が転居した場合、メール便５０は、このメール便５０を配送管理する運輸サービス業者に一旦回収される。
【００５０】
そして、図７（ａ），（ｂ）に示すように、補助片２２０がメール便５０の表面に、また、はがき片２１０がメール便５０の裏面にそれぞれ貼着されるように、転居先通知シート２０１が感圧性接着剤２０９が塗布された面が内側となるようにミシン目２３０を介して折り畳まれて感圧性接着剤２０９によってメール便５０に貼着され、メール便５０が発送される。メール便５０を配送管理する運輸サービス業者から発送されたメール便５０には、メール便識別マーク５１が表示された領域に転居先通知シート２０１が貼着されているため、メール便識別マーク５１が視認不可能となっているとともに、転居先通知シート２０１の補助片２２０に表示された郵便料金マーク２２１が表出しており、それにより、転居先通知シート２０１が貼着されメール便５０は、郵便物として配送先に配送される。またこの際、はがき片２１０には、はがき片２１０の返信先情報が表示された返信宛先表示部２１２が設けられているが、この返信宛先表示部２１２は、はがき片２１０のうち、転居先通知シート２０１がメール便５０に剥離可能に貼着された面に設けられているので、返信宛先表示部２１２に表示された返信先情報に従ってメール便５０が配送されてしまうことがない。
【００５１】
そして、メール便５０の受取人がその転居先を郵便局に届けている場合、このメール便５０は受取人の転居先に配送されることになる。
【００５２】
メール便５０が受取人の転居先に配送された後、図７（ｃ）に示すようにメール便５０の受取人によって、はがき片２１０がメール便５０から剥離されるとともに、ミシン目３０が破断されることにより、はがき片２１０が補助片２２０から分離される。この際、はがき片２１０は、シート基材２０２に塗布された感圧性接着剤２０９によってメール便５０に貼着されているため、メール便５０から剥離することができる。
【００５３】
そして、図７（ｄ）に示すように、はがき片２１０に設けられた転居先記入欄２１１に、メール便５０の受取人の転居先の住所からなる転居先情報２１１ａが記入されて返信されると、はがき片２１０の裏面には、メール便５０を配送管理する運輸サービス業者の住所や名称等の返信先情報が表示された返信宛先表示部２１２が設けられているので、この返信宛先表示部２１２に表示された返信先情報に従ってはがき片２１０がメール便５０を配送管理する運輸サービス業者に返信される。この際、はがき片２１０は、シート基材２０２に塗布された感圧性接着剤２０９によってメール便５０に貼着されていたため、メール便５０から剥離された後であっても、メール便５０に対する貼着面がべたつくことがない。
【００５４】
メール便５０を配送管理する運輸サービス業者においては、転居先記入欄２１１に記入された転居先情報２１１ａをこのメール便５０の受取人の転居先として登録し、その後、この受取人に他の配送物を配送する場合に、受取人の転居先を配送先として配送物を配送することになる。
【００５５】
以下に、図６に示したような構成を有する転居先通知シートのメール便５０に対する貼着及び剥離構造について３つの例を挙げて説明する。
【００５６】
（第４の実施の形態）
図８は、本発明の転居先通知シートの第４の実施の形態を示す図であり、積層構造を示す。
【００５７】
本形態は図８に示すように、上述した３つの実施の形態にて示したものと同様にはがき片３１０と補助片３２０とがミシン目３３０を介して連接した構成となっており、さらに、シート基材３０２の一方の面の全面に、コーティングフィルム３０６がコーティングされているとともに、そのコーティングフィルム３０６上に剥離ニス３０５が塗布され、剥離ニス３０５の上に粘着剤３０３が塗布され、この粘着剤３０３によって剥離紙３０４が剥離可能に貼着されている。なお、剥離ニス３０５の代わりに不織布を用いてもよい。
【００５８】
上記のように構成された転居先通知シート３０１は、上述した３つの実施の形態にて示したものと同様に、図２に示したようなメール便５０に貼着されて使用される。
【００５９】
図９は、図８に示した転居先通知シート３０１を図２に示したメール便５０に貼着した後の剥離の仕方を示す図である。
【００６０】
図８に示した転居先通知シート３０１は、図９（ａ）に示すように、剥離紙３０４が剥離され、表出した粘着剤３０３によってメール便５０に貼着される。
【００６１】
その後、転居先通知シート３０１がメール便５０の配送先にて剥離されると、図９（ｂ）に示すように、コーティングフィルム３０６と剥離ニス３０５との間にて層間剥離することになる。それにより、はがき片３１０においては、メール便５０から剥離された状態においてその表面がべたつくことがない。
【００６２】
（第５の実施の形態）
図１０は、本発明の転居先通知シートの第５の実施の形態を示す図であり、積層構造を示す。
【００６３】
本形態は図１０に示すように、上述した３つの実施の形態にて示したものと同様にはがき片４１０と補助片４２０とがミシン目４３０を介して連接した構成となっており、さらに、シート基材４０２の一方の面に、粘着剤４０７を介してフィルム４０６が貼着されているとともに、そのフィルム４０６上に剥離ニス４０５が塗布され、剥離ニス４０５の上に粘着剤４０３が塗布され、この粘着剤４０３によって剥離紙４０４が剥離可能に貼着されている。
【００６４】
上記のように構成された転居先通知シート４０１は、上述した４つの実施の形態にて示したものと同様に、図２に示したようなメール便５０に貼着されて使用される。
【００６５】
図１１は、図１０に示した転居先通知シート４０１を図２に示したメール便５０に貼着した後の剥離の仕方を示す図である。
【００６６】
図１０に示した転居先通知シート４０１は、図１１（ａ）に示すように、剥離紙４０４が剥離され、表出した粘着剤４０３によってメール便５０に貼着される。
【００６７】
その後、転居先通知シート４０１がメール便５０の配送先にて剥離されると、図１１（ｂ）に示すように、フィルム４０６と剥離ニス４０５との間にて層間剥離することになる。それにより、はがき片４１０においては、メール便５０から剥離された状態においてその表面がべたつくことがない。
【００６８】
（第６の実施の形態）
図１２は、本発明の転居先通知シートの第６の実施の形態を示す図であり、（ａ）は表面図、（ｂ）は（ａ）に示したＡ−Ａ’断面図、（ｃ）は裏面図である。
【００６９】
本形態は図１２（ｂ）に示すように、第５の実施の形態にて示したものに対して、はがき片５１０の一部においては、シート基材５０２と剥離紙５０４との間に、フィルム５０６、剥離ニス５０５及び粘着剤５０３，５０７が積層されていない点が異なるものである。
【００７０】
すなわち、本形態は図１２に示すように、第３の実施の形態にて示したものと同様に、一方の面に転居先記入欄５１１が設けられるとともに、他方の面に返信宛先表示部５１２が設けられてなるはがき片５１０と、一方の面に郵便料金マーク５２１が表示された補助片５２０とがミシン目５３０を介して連接した構成となっている。
【００７１】
そして、はがき片５１０の返信宛先表示部５１２が設けられた面には、このはがき片５１０が返信宛先表示部５１２に表示された返信先情報に従って返信される際に、その郵便料金を示す郵便料金マーク５１３が表示されているが、その領域において、シート基材５０２と剥離紙５０４との間に、フィルム５０６、剥離ニス５０５及び粘着剤５０３，５０７が積層されていない。
【００７２】
これにより、はがき片５１０が返信宛先表示部５１２に表示された返信先情報に従って返信される際に、郵便料金マーク５１３が表示された領域に消印が押下しにくくなることを回避できる。
【００７３】
（第７の実施の形態）
図１３は、本発明の転居先通知シートの第７の実施の形態を示す図であり、（ａ）は表面図、（ｂ）は裏面図、（ｃ）は（ａ）に示したＡ−Ａ’断面図である。
【００７４】
本形態は図１３に示すように、互いに同一形状を具備するはがき片６１０と補助片６２０とがスジ押し等によって形成される折り線６４０を介して折り畳み可能に連接して構成されている。なお、折り線６４０の代わりにミシン目を用いてもよい。
【００７５】
はがき片６１０は、シート基材６０２の一方の面に第２の貼着手段となる粘着剤６０８ａが塗布されており、この面に、転居先通知シート６０１が貼着される配送物の受取人の転居先情報を記入するための転居先記入欄６１１が設けられている。また、シート基材６０２の他方の面には、感圧性接着剤６０９が塗布されているとともに、この転居先通知シート６０１が貼着される配送物を配送管理する運輸サービス業者の住所や名称等の返信先情報が表示された返信宛先表示部６１２が設けられている。
【００７６】
補助片６２０は、シート基材６０２の一方の面に第２の貼着手段となる粘着剤６０８ｂが塗布されており、その面に、郵便料金を表示する料金表示部となる郵便料金マーク６２１が表示されている。また、シート基材６０２の他方の面には、感圧性接着剤６０９が第１の貼着手段となって塗布されているとともに、地紋印刷６２３が施されている。
【００７７】
これらはがき片６１０と補助片６２０とは、転居先記入欄６１１が設けられた面と、郵便料金マーク６２１が表示された面とが転居先通知シート６０１における同一面となるように連接していることになる。
【００７８】
粘着剤６０８ａ，６０８ｂは、自己粘着性を有する高分子ポリマー等の同一の材料からなり、手で押し付ける等といった通常の圧力で互いにのみ貼着及び剥離可能なものである。すなわち、粘着剤６０８ａは、粘着剤６０８ｂのみが貼着及び剥離可能なものであり、また、粘着剤６０８ｂは粘着剤６０８ａのみが貼着及び剥離可能なものであり、それにより、はがき片６１０の粘着剤６０８ａが塗布された面は、補助片６２０の粘着剤６０８ｂが塗布された面とのみ貼着し、他の紙や樹脂とは貼着しない。
【００７９】
以下に、上記のように構成された転居先通知シート６０１の使用方法について説明する。
【００８０】
図１４は、図２に示したメール便５０の受取人が転居した場合における図１３に示した転居先通知シート６０１を用いた処理を説明するための図である。
【００８１】
図２に示したメール便５０の受取人が転居した場合、メール便５０は、このメール便５０を配送管理する運輸サービス業者に一旦回収される。
【００８２】
そして、図１４（ａ）に示すように、補助片６２０がメール便５０の表面に、また、はがき片６１０がメール便５０の裏面にそれぞれ貼着されるように、転居先通知シート６０１が感圧性接着剤６０９が塗布された面が内側となるように折り線６４０を介して折り畳まれて感圧性接着剤６０９によってメール便５０に貼着され、メール便５０が発送される。メール便５０を配送管理する運輸サービス業者から発送されたメール便５０には、メール便識別マーク５１が表示された領域に転居先通知シート６０１が貼着されているため、メール便識別マーク５１が視認不可能となっているとともに、転居先通知シート２０１の補助片６２０に表示された郵便料金マーク６２１が表出しており、それにより、転居先通知シート６０１が貼着されメール便５０は、郵便物として配送先に配送される。またこの際、はがき片６１０には、はがき片６１０の返信先情報が表示された返信宛先表示部６１２が設けられているが、この返信宛先表示部６１２は、はがき片６１０のうち、転居先通知シート６０１がメール便５０に剥離可能に貼着された面に設けられているので、返信宛先表示部６１２に表示された返信先情報に従ってメール便５０が配送されてしまうことがない。また、はがき片６１０と補助片６２０の表出する面にはそれぞれ粘着剤６０８ａ，６０８ｂが塗布されているものの、この粘着剤６０８ａ，６０８ｂは、互いにのみ貼着可能なものであるため、転送先通知シート６０１の表面がべたつくことはない。
【００８３】
メール便５０は、郵便物として配送先に配送されるため、メール便５０の受取人がその転居先を郵便局に届けている場合、このメール便５０は受取人の転居先に配送されることになる。
【００８４】
メール便５０が受取人の転居先に配送された後、図１４（ｂ）に示すようにメール便５０の受取人によって、転居先通知シート６０１がメール便５０から剥離される。この際、転居先通知シート６０１は、シート基材６０２に塗布された感圧性接着剤６０９によってメール便５０に貼着されているため、メール便５０から剥離することができる。
【００８５】
そして、図１４（ｃ）に示すように、はがき片６１０に設けられた転居先記入欄６１１に、メール便５０の受取人の転居先の住所からなる転居先情報６１１ａが記入される。
【００８６】
転居先記入欄６１１に転居先情報６１１ａが記入された転居先通知シート６０１は、図１４（ｄ）に示すように、はがき片６１０の転居先記入欄６１１が設けられた面、並びに補助片６２０の郵便料金マーク６２１が設けられた面、すなわち、シート基材６０２の粘着剤６０８ａ，６０８ｂが塗布された面が内側となるように折り畳まれ、粘着剤６０８ａ，６０８ｂによってはがき片６１０と補助片６２０とが剥離可能に貼着される。粘着剤６０８ａ，６０８ｂは、手で押し付ける等といった通常の圧力で互いにのみ貼着可能なものであるため、転居先通知シート６０１をシート基材６０２の粘着剤６０８ａ，６０８ｂが塗布された面が内側となるように折り畳んで手で押し付けることによって、はがき片６１０と補助片６２０とを貼着することができる。
【００８７】
はがき片６１０と補助片６２０とが貼着された転居先通知シート６０１には、図１４（ｅ）に示すように、はがき片６１０の裏面に設けられた返信宛先表示部６１２が表出しているので、この返信宛先表示部６１２に表示された返信先情報に従って転居先通知シート６０１がメール便５０を配送管理する運輸サービス業者に返信される。この際、はがき片６１０と補助片６２０とが互いに同一の形状を具備するものであることから、はがき片６１０の転居先記入欄６１１が設けられた面は、その全面が補助片６２０によって覆われることになり、それにより、転居先記入欄６１１に記入された転居先情報６１１ａを外部から視認不可能とした状態で、転居先通知シート６０１を返信することができる。さらに、補助片６２０には地紋印刷６２３が施されているため、転居先通知シート６０１を光に透かした場合であっても、転居先記入欄６１１に記入された転居先情報６１１ａを漏洩しにくくすることができる。
【００８８】
メール便５０を配送管理する運輸サービス業者においては、転居先記入欄６１１に記入された転居先情報６１１ａをこのメール便５０の受取人の転居先として登録し、その後、この受取人に他の配送物を配送する場合に、受取人の転居先を配送先として配送物を配送することになる。
【００８９】
なお、本形態においては、はがき片６１０と補助片６２０とを同一形状とすることにより、転居先通知シート６０２を折り線６４０にて折り畳んだ場合に、はがき片６１０に設けられた転居先記入欄６１１に記入された転居先情報６１１ａが外部から視認不可能となるが、補助片６２０の形状が、転居先通知シート６０２が折り線６４０にて折り畳まれた場合に、はがき片６１０に設けられた転居先記入欄６１１を覆うのに十分なものであれば、転居先通知シート６０２を折り線６４０にて折り畳んだ場合に、はがき片６１０に設けられた転居先記入欄６１１に記入された転居先情報６１１ａを外部から視認不可能とすることができる。
【００９０】
また、本形態においては、第２の貼着構造として、はがき片６１０と補助片６２０のそれぞれにおいてシート基材６０２に塗布され、互いにのみ貼着可能な粘着剤６０８ａ，６０８ｂを例に挙げて説明したが、はがき片６１０と補助片６２０とを剥離可能に貼着するものであればこれに限らず、はがき片６１０と補助片６２０の少なくとも一方に設けられていればよい。
【符号の説明】
【００９１】
１，１０１，２０１，３０１，４０１，５０１，６０１    転居先通知シート
２，２０２，３０２，４０２，５０２，６０２    シート基材
３，３０３，４０３，４０７，５０３，５０７，６０８ａ，６０８ｂ    粘着剤
４，３０４，４０４，５０４    剥離紙
１０，２１０，３１０，４１０，５１０，６１０    はがき片
１１，２１１，５１１，６１１    転居先記入欄
１１ａ，２１１ａ，６１１ａ    転居先情報
１２，２１２，５１２，６１２    返信宛先表示部
２０，２０ａ，２０ｂ，２２０，３２０，４２０，５２０，６２０    補助片
２１，２２１，５１３，５２１，６２１    郵便料金マーク
３０，３０ａ，３０ｂ，２３０，３３０，４３０，５３０    ミシン目
５０    メール便
５１    メール便識別マーク
５２    宛先情報
５３    バーコード情報
２０９，６０９    感圧性接着剤
３０５，４０５    剥離ニス
３０６    コーティングフィルム
４０６    フィルム
６２３    地紋印刷
６４０    折り線
【図１】
0005517835.tif 000002
【図２】
0005517835.tif 000003
【図３】
0005517835.tif 000004
【図４】
0005517835.tif 000005
【図５】
0005517835.tif 000006
【図６】
0005517835.tif 000007
【図７】
0005517835.tif 000008
【図８】
0005517835.tif 000009
【図９】
0005517835.tif 000010
【図１０】
0005517835.tif 000011
【図１１】
0005517835.tif 000012
【図１２】
0005517835.tif 000013
【図１３】
0005517835.tif 000014
【図１４】
0005517835.tif 000015